(57)【要約】【課題】ヒーリング効果が高く、メンテナンスが容易で、既存の施設にも導入容易であり、高温が苦手な利用者にも利用し易いサウナ施設を提供する。【解決手段】サウナ施設のサウナ室１の室内に、複数のベッド部２と、室内を暖房するための暖房手段であるパネルヒータと、室内を加湿するための加湿手段である加湿器４、１７とを設け、ベッド部２には、マイナスイオンを発生するとともに温められたときに遠赤外線を放射する石英片岩を、上面２０を含む上部に敷設し、石英片岩を温める発熱体を設ける。好ましくは、室温を約４０〜５０℃、湿度を約６０〜７０℃に設定する。【選択図】  図１
2004275299.tif 000002
【特許請求の範囲】
【請求項１】
サウナ室の室内に設けられた複数のベッド部と、前記室内を暖房するための暖房手段と、前記室内を加湿するための加湿手段とを備えたサウナ施設であって、
前記ベッド部には、マイナスイオンを発生するとともに温められたときに遠赤外線を放射する石が、上面を含む上部に敷設され、前記石を温める発熱体が設けられていることを特徴とするサウナ施設。
【請求項２】
前記暖房手段により前記室内の温度が約４０〜５０℃に設定され、前記加湿手段により前記室内の湿度が約６０〜７０％に設定されることを特徴とする請求項１記載のサウナ施設。
【請求項３】
前記室内に音楽を流すための音響手段と、前記音楽に合わせて前記室内の照明を変化させる調光手段とが設けられていることを特徴とする請求項１または２記載のサウナ施設。
【請求項４】
前記石が所定種類の石英片岩であることを特徴とする請求項１〜３のいずれかに記載のサウナ施設。
【請求項５】
前記上面に露出するように、前記石英片岩の中にトルマリン石が埋設されていることを特徴とする請求項４記載のサウナ施設。
【請求項６】
請求項１〜５のいずれかに記載のサウナ施設を使用する使用方法であって、
利用者が、前記ベッド部への横臥前に水分を摂取し、着衣状態で前記ベッド部に横臥することを特徴とする使用方法。
【発明の詳細な説明】
【０００１】
【発明の属する技術分野】
本発明は、サウナ施設に関し、特に、石が敷設されたベッドを有するサウナ施設に関する。
【０００２】
【従来の技術】
近年、温泉やサウナにヒーリング（癒し）効果を求める人々が増えている。すなわち、温泉では多量の温水に入浴することによって、身体を温め発汗を促して、新陳代謝を高め心身の疲労を癒すことが行われている。また、サウナには蒸気浴と熱気浴とがあるが、蒸気浴では室内に充満させた蒸気により、熱気浴では室内を高温乾燥状態（一般には室温約８０〜９０℃で湿度約０％）にすることにより、身体を温め発汗を促して、新陳代謝を高め心身の疲労を癒すことが行われている。
【０００３】
【発明が解決しようとする課題】
しかし、温泉では多量の温水を使用するため、雑菌やカビ等が発生しないように特殊なメンテナンスが必要であり、また、温水を引かなければならないため、既存の施設には導入が困難であるという問題があった。また、従来のサウナでは、利用者は、蒸気が充満した室内や高温乾燥状態にされた室内に入らなければならないので、息苦しく感じることもあり、高温が苦手な利用者には利用しにくいという問題があった。
【０００４】
この発明は、上述した問題を解決するものであり、ヒーリング効果が高く、メンテナンスが容易で、既存の施設にも導入容易であり、高温が苦手な利用者にも利用し易いサウナ施設を提供することを目的とする。
【０００５】
【課題を解決するための手段】
本発明のサウナ施設は、サウナ室の室内に設けられた複数のベッド部と、前記室内を暖房するための暖房手段と、前記室内を加湿するための加湿手段とを備えたサウナ施設であって、前記ベッド部には、マイナスイオンを発生するとともに温められたときに遠赤外線を放射する石が、上面を含む上部に敷設され、前記石を温める発熱体が設けられていることを特徴とする。
【０００６】
ここで、前記暖房手段により前記室内の温度が約４０〜５０℃に設定され、前記加湿手段により前記室内の湿度が約６０〜７０％に設定されることが好ましい。
【０００７】
また、前記室内に音楽を流すための音響手段と、前記音楽に合わせて前記室内の照明を変化させる調光手段とが設けられていることが好ましい。
【０００８】
さらに、前記石が所定種類の石英片岩であることが好ましい。
【０００９】
また、前記上面に露出するように、前記石英片岩の中にトルマリン石が埋設されていてもよい。
【００１０】
本発明の使用方法は、本発明のサウナ施設を使用する使用方法であって、利用者が、前記ベッド部への横臥前に水分を摂取し、着衣状態で前記ベッド部に横臥することを特徴とする。
【００１１】
【発明の実施の形態】
以下、本発明の一実施形態を図面に基づいて説明する。本実施形態のサウナ施設は、図１に示すように、サウナ室１内に複数のベッド部２を備えている。ベッド部２は、上面２０がサウナ室１の床面１１と略面一をなすように、サウナ室１の床から下方に埋設されている。また、サウナ室１内には、室内を加湿する加湿手段である加湿器４、１７が配設されており、サウナ室１の壁面１２には照明８が配設されている。なお、図１中、１５は温調制御盤であり、１６は浄水器である。浄水器１６は、活性炭や後述する石英片岩５を用いて水の脱臭、脱塩素を行うものである。
【００１２】
また、図２に示すように、サウナ室１の天井部１３には、室内を暖房する暖房手段であるパネルヒータ３と、スピーカ７と、照明具９、１０とが配設され、スピーカ７と照明１０は、図示しないＤＶＤシステムに接続されている。このＤＶＤシステムは、ＤＶＤプレイヤーとＤＶアンプと調光器とを備え、音楽データと調光用画像データとが記録されたＤＶＤを再生することにより、スピーカ７には音楽データを出力して、スピーカ７から室内に音楽を流し、調光器には調光用画像データを出力して、調光器に接続された照明具１０の照明を音楽に合わせて変化させるものである。すなわち、このＤＶＤシステムは、スピーカ７と共に音響手段を構成し、また、調光手段となるものである。また、天井部１３には監視カメラ１４が配設されており、監視カメラ１４はサウナ室１外に設けられたモニターテレビ（図示せず）に接続されている。
【００１３】
ベッド部２は、図３に示すように、枠体２５の上端部で囲まれた上面２０に、藤製の枕２２と竹製の脚枕２３とが載置され、上面２０に露出するようにトルマリン石２４が埋設されている。詳しくは、図４に示すように、ベッド部２は上方が開放された略箱体状の枠体２５を備え、枠体２５で囲まれた内部の上部２１（上部２１は上面２０を含むものとする。）には、所定種類の石英片岩５が多数敷設されている。そして、トルマリン石２４は石英片岩５中に埋設されている。また、図３の破線で示すように、ベッド部２には、ベッド部２の表面付近の温度を検出する温度センサ２７と、分電ボックス３０とが配設され、温度センサ２７と分電ボックス３０は、サウナ室１外に設けられた温調制御盤１５に接続されている（図１参照）。
【００１４】
また、図４に示すように、ベッド部２の内部には、石英片岩５の下にアルミニウム製の保護材を兼ねた放熱板２６が敷設され、放熱板２６の下に発熱体６が配設され、発熱体６と枠体２５との間には断熱材２８、２９が配設されている。
【００１５】
図５は、ベッド部２の石英片岩５、トルマリン石２４、及び、放熱板２６を取り除いた状態の概略平面図である。図５に示すように、発熱体６は板状乃至は棒状に形成されて、ベッド部２の長手方向に延設され、内部には図示しない複数のヒートパイプが配設されている。このヒートパイプは電熱線によって加熱され、２０〜２５ＫＨｚ程度の微弱超音波を発生する。この超音波は温熱効果や振動効果を有し、血行を良くして新陳代謝を高める作用を有する。
【００１６】
石英片岩５は、大規模な地殻変動により超高圧と超高温の下で生成されたと推定される中央構造線上に存在する石英片岩の一種であり、遠赤外線放射量が多く（６０℃の状態で放射率９６％以上。）また、マイナスイオンの発生量が多い。以下に、種々の場所で測定したマイナスイオンの発生量を示す。なお、単位は、個／ｃｍ３であり、−は検出無しを示す。
【００１７】
山林部                                      ７００以上
新宿歌舞伎町（外気）                        −
噴水（新宿）                                ７８０
風の吹き付けるオフィス街                    ３８０
オフィス内                                  −
滝壺（１０ｍ離れた位置）                    ４７３０
森林地帯                                    １８００
石英片岩５（５０ｋｇの石に対して１ｍ以内）  ３０００
また、石英片岩５の分析比較表を表１に示す。
【００１８】
【表１】
2004275299.tif 000003
【００１９】
以上のように構成されたサウナ施設の使用方法について、次に説明する。
【００２０】
利用者は、サウナ室１に入る前に浄水器１６により浄水された水を飲む。この水は脱臭・脱塩素されているので、飲み易い。そして、利用者は浴衣等の所定の衣類を着た着衣状態のまま、サウナ室１に入り、ベッド部２の上面２０に横臥する。サウナ室１は、パネルヒータ３により室内の温度が約４０〜５０℃に設定され、また、加湿器４、１７により室内の湿度が約６０〜７０％に設定されている。このように従来のサウナに比して室内が低温であり、また、蒸気が充満していないので、利用者は息苦しく感じたりすることなく、高温が苦手な利用者も快適に過ごすことができる。
【００２１】
ベッド部２の石英片岩５は、発熱体６により約５０℃に温められており、遠赤外線を放射するので、利用者は石英片岩５からの遠赤外線放射を受けることとなる。ここで、遠赤外線は、赤外線の中でも最も深く皮下組織に浸透して温熱刺激を与え、血行を良くして深部温を高め、発汗を促す作用を有している。このため、利用者は体が芯から温められ、発汗が促される。また、利用者はベッド部２への横臥前に水分を摂取しているので、更に発汗が促される。
【００２２】
また、石英片岩５はマイナスイオンを発生するので、サウナ室１内の空気はマイナスイオンを多量に含むこととなる。ここで、マイナスイオンの多い空気は、精神安定作用や疲労の軽減作用等を有している。このため、利用者は心身の疲労を効果的に癒すことができる。なお、トルマリン石２４からも遠赤外線やマイナスイオンが発生されるが、石英片岩５のマイナスイオン発生量はトルマリン石よりも多い。
【００２３】
また、スピーカ７からは、例えば高原や南の島をイメージさせる音楽等、ヒーリングに適した音楽が流され、その音楽に合わせて照明具１０の照明が変化する。このため、利用者は例えば高原や南の島等をイメージしながらリラックスして過ごすことができ、更に効果的に心身の疲労を癒すことができる。
【００２４】
利用者の様子は監視カメラ１４により撮影され、サウナ室１外のモニターテレビに映し出されるので、サウナ施設の監視員はサウナ室１外から利用者の様子を見守ることができ、また、利用者は見守られていることから、安心してサウナ室１で過ごすことができる。
【００２５】
以上のように、本実施形態のサウナ施設によれば、利用者は、石英片岩５から放射される遠赤外線により、体が芯から温められて発汗が促され、また、マイナスイオンの多い空気により、心身の疲労を効果的に癒すことができる。また、サウナ室１は、室温が従来のサウナより低く、蒸気が充満していることもないので、高温の苦手な利用者にも利用し易い。さらに、室内に流れる音楽とその音楽に合わせて変化する照明により、利用者はリラックスでき、更に効果的に心身の疲労を癒すことができる。
【００２６】
また、サウナ施設の提供者にとっては、本実施形態のサウナ施設は多量の温水を必要としないので、メンテナンスが容易で、既存の施設にも導入容易である。さらに、利用者は着衣状態でベッド部２に横臥するので、混浴が可能であり、男女別々にサウナ室１を設ける必要がなく、施設を有効利用できる。
【００２７】
なお、芳香発生装置を設けることにより、サウナ室１内に芳香を供給することとすれば、更にヒーリング効果を高めることができる。
【００２８】
また、ベッド部２の上部２１に敷設する石は、石英片岩５以外の石であってもよく、例えば上部２１全部にトルマリン石を敷設することとしてもよいが、石英片岩５はトルマリン石より多量のマイナスイオンを発生するため、石英片岩５を用いればヒーリング効果がより高いサウナ施設を提供できる。
【００２９】
また、石英片岩５の代わりに麦飯石、備長炭等を浄水器１６に用いてもよい。さらに、発熱体６を上述したヒートパイプを使用しないものにしてもよい。
【００３０】
すなわち、特許請求の範囲を逸脱しない範囲で、本発明は種々の構成を採り得る。
【００３１】
【発明の効果】
本発明のサウナ施設は、サウナ室の室内に設けられた複数のベッド部と、室内を暖房するための暖房手段と、室内を加湿するための加湿手段とを備え、ベッド部には、マイナスイオンを発生するとともに温められたときに遠赤外線を放射する石が、上面を含む上部に敷設され、石を温める発熱体が設けられている。
【００３２】
これによれば、ベッド部に敷設された石が、マイナスイオンを発生するとともに、発熱体により温められて遠赤外線を放射するので、ベッド部に横臥した利用者は、遠赤外線により身体が芯から温められ、発汗が促されるとともに、マイナスイオンにより心身を癒すことができ、高いヒーリング効果を得ることができる。また、多量の温水を必要としないので、メンテナンスが容易で、既存の施設にも導入容易である。さらに、蒸気が充満した室内や高温乾燥状態の室内に入らなくてもよいので、高温が苦手な利用者にも利用し易い。
【００３３】
また、室内の温度を約４０〜５０℃に設定し、室内の湿度を約６０〜７０％に設定すれば、高温が苦手な利用者であっても室内で快適に過ごすことができる。
【００３４】
さらに、室内に音楽を流すための音響手段と、前記音楽に合わせて室内の照明を変化させる調光手段とを設ければ、ヒーリング効果を更に高めることができる。
【００３５】
そして、利用者がベッド部への横臥前に水分を摂取し、着衣状態で前記ベッド部に横臥することとすれば、利用者の発汗を更に促すことができ、また、混浴も可能となって施設を有効利用することができる。
【図面の簡単な説明】
【図１】本発明のサウナ施設に係るサウナ室の室内の概略平面図
【図２】図１のサウナ室の天井部の概略図
【図３】図１のサウナ室に設けられたベッド部の概略平面図
【図４】図３のＩＶ−ＩＶ部位概略断面図
【図５】図３のベッド部において敷設された石と放熱板とを除いた概略平面図
【符号の説明】
１…サウナ室
２…ベッド部
３…パネルヒータ
４、１７…加湿器
５…石英片岩
６…発熱体
７…スピーカ
１０…照明具
２４…トルマリン石
【図１】
2004275299.tif 000004
【図２】
2004275299.tif 000005
【図３】
2004275299.tif 000006
【図４】
2004275299.tif 000007
【図５】
2004275299.tif 000008